(57)【特許請求の範囲】
【請求項１】
視度環を光軸回りに回動させることにより接眼レンズ群を保持する接眼レンズ枠を光軸方向に移動させる双眼鏡の視度補正機構において、
前記視度環に形成された第１係止部と、
前記接眼レンズ枠を摺動可能に内径部に配置し、外径部に回動可能に嵌合するカム環を介して前記視度環を支承する接眼枠と、
前記視度環と離間している状態で回動可能であり、該接眼枠に回動可能に嵌合すると共に、前記第１係止部に挿脱する第２係止部が形成されたクリック環と、
前記接眼枠と前記クリック環との嵌合部に設けられ、前記クリック環の回動許容範囲で１ヶ所のみのクリック位置を有するクリック機構と、
前記第１係止部と前記第２係止部が係合し、前記視度環と前記クリック環が一体化する第1位置と係合を解除する第２位置に位置決めする位置決め機構と、を有することを特徴とする双眼鏡の視度補正機構。
【請求項２】
前記位置決め機構は、前記視度環及び前記カム環の何れか一方に形成された前記第1位置と前記第２位置に位置決めするための溝が形成され、他方に前記溝に嵌入する弾性部材が固設されていることを特徴とする請求項１記載の双眼鏡の視度補正機構。
【発明の詳細な説明】
【０００１】
【産業上の利用分野】
本発明は、視度環を回動させることにより、接眼レンズを光軸方向に移動させる双眼鏡の視度補正機構に関する。
【０００２】
【従来の技術】
従来の双眼鏡の視度補正機構は、例えば、センターフォーカス式の双眼鏡にあっては、観察者の左右の眼の視度差を補正するために、左右いずれか一方の接眼部に視度補正機構が設けられている。そして、この視度補正機構を観察者が操作することによって視度補正が行われていた。
【０００３】
以下、図面を参照して従来の技術を説明する。
図８は、従来技術における双眼鏡の視度補正機構の縦断面図であり、図９は、図８におけるＥーＥ’矢視断面図である。
図８、図９において、接眼枠２１は、ビスによって 鏡体２０に固設されている。接眼枠２１の内周面には、接眼レンズ群２８を保持した接眼レンズ枠２４が摺動可能に嵌合しており、外周面には、カム環２３が回動可能に嵌合している。さらに、接眼枠２１は外周面から突出する鍔部が形成されており、この鍔部には、その外周面から光軸に直交する方向に、付勢部材挿入孔が穿設されている。また、前記内周面と外周面を貫通する光軸方向の長孔２１ａが形成されている。尚、付勢部材挿入孔には、圧縮バネ２６，剛球２７が挿入されている。
【０００４】
カム環２３は、接眼枠２１の鍔部端面と押さえ環２９によって光軸方向の移動は制限され、回動のみ可能としている。また、カム溝２３ａ、と外周に形成されたＶ溝２３ｂを有している。カム環２３の外周には視度環２２が嵌合しており、固定ビスによってＶ溝２３ｂの位置にて固定され、カム環２３と一体になって光軸回りに回動する。
【０００５】
接眼枠２１の内周に嵌合する接眼レンズ枠２４には、カムビス２５が植設されており、接眼枠２１の長孔２１ａを貫通し、カム溝２３ａに嵌合している。
視度環２２の 鏡体側端部内周面には、複数の係止歯２２ａが形成されている。この複数の係止歯２２ａが、接眼枠２１の鍔部外周面に対向する如く配置され、この係止歯２２ａに圧縮バネの押圧力を受けた剛球２７が嵌入し、クリック機構を構成している。
【０００６】
上記のように構成された視度補正機構において、視度環２２を回動させるとカム環２３も一体になって回動する。この回動を受けて接眼レンズ枠２４に保持された接眼レンズ群２８は、カム溝２３ａ、長孔２１ａ、カムビス２５の作用によって光軸方向に直進移動する。この際、視度環２２の回動は、クリック機構によって一定量（０．５もしくは１．０ディオプトリー間隔）ずつ行われる。
【０００７】
【発明が解決しようとする課題】
このような従来の双眼鏡の視度補正機構にあっては、クリック機構において、その間隔は０．５もしくは１．０デォプトリーに設定されるのが普通である。
しかしながら、本来、視度クリックは観察者本人にとって最適な箇所が一カ所あればよいものであり、他に何カ所設けられていても、実際には不必要なものである。ところで、個人用の双眼鏡を他人に貸したり、または、複数人で使用する場合、その都度、観察者の最適な視度クリック位置を動かしてしまうことになる。  このようにして、最適な視度クリック位置を一度動かしてしまうと、再度、視度環を微調整して、何カ所もあるクリック位置の中から、自分に合った最適クリック位置を探し出さねば成らず、操作の煩わしさが残るという問題点があった。
【０００８】
本発明はこのような従来の問題点に鑑みてなされたものであり、その目的とするところは、観察者の最適視度クリック位置を任意に設定でき、その後に最適視度クリック位置が変更されても容易に再現が可能な双眼鏡の視度補正機構を提供することにある。
【０００９】
【課題を解決するための手段】
上記目的のために本発明の請求項１の発明では、視度環を光軸回りに回動させることにより接眼レンズ群を保持する接眼レンズ枠を光軸方向に移動させる双眼鏡の視度補正機構において、前記視度環に形成された第1係止部と、前記接眼レンズ枠を摺動可能に内径部に配置し、外径部に回動可能に嵌合するカム環を介して前記視度環を支承する接眼枠と、前記視度環と離間している状態で回動可能であり、該接眼枠に回動可能に嵌合すると共に、前記第1係止部に挿脱する第2係止部が形成されたクリック環と、前記接眼枠と前記クリック環との嵌合部に設けられ、前記クリック環の回動許容範囲で１ヶ所のみのクリック位置を有するクリック機構と、前記第1係止部と前記第2係止部が係合し、前記視度環と前記クリック環が一体化する第1位置と係合を解除する第2位置に位置決めする位置決め機構と、を有することを課題解決の手段とするものである。
【００１０】
また、請求項２の発明では、前記位置決め機構は、前記視度環及び前記カム環の何れか一方に形成された前記第1位置と前記第２位置に位置決めするための溝が形成され、他方に前記溝に嵌入する弾性部材が固設されていることを課題解決の手段とするものである。
【００１１】
【発明の実施の形態】
以下、本発明の実施形態を図面を参照して説明する。
図７は、本発明の双眼鏡の上面図である。
図７に示す双眼鏡は、センターフォーカス式双眼鏡で、フォーカスノブ１８を回動させることにより、左右の対物レンズ２０，２０’を光軸方向に移動させて焦点調節を行うものである。ところで、観測者は、通常、左右の視力が異なっている。そこで本発明の実施形態では、視度補正を行うべく左右の接眼部の内一方の接眼部（本実施形態では右の接眼部）に視度補正機構を設けている。
【００１２】
以下、本発明の視度補正機構を詳細に説明する。
図１は本発明の双眼鏡の視度補正機構の縦断面図である。また、図２は図１におけるＡ−Ａ’矢視断面図、図３は図１におけるＢ−Ｂ’矢視断面図である。さらに、図４は本発明の視度補正機構の位置決め機構を含み、係止が解除された状態を示す縦断面図であり、図５は 本発明の視度補正機構の位置決め機構を含み、係止状態を示す縦断面図、図６は図５におけるＤ−Ｄ’矢視断面図である。
【００１３】
図１において、接眼枠１は、ビス３によって 鏡体２に固設されている。接眼枠１の内周面には、接眼レンズ群１９を分離環１４及び押さえ環１５で保持した接眼レンズ枠１０が摺動可能に嵌合しており、外周面には、カム環５が回動可能に嵌合している。さらに、接眼枠１は、外周面から突出する鍔部が形成されており、この鍔部には、その外周面から光軸に直交する方向に、付勢部材挿入孔１ａが穿設されている。また、前記内周面と外周面を貫通する光軸方向の長孔１ｂが形成されている。尚、付勢部材挿入孔１ａには、圧縮バネ８，剛球９が挿入されている。
【００１４】
カム環５は、接眼枠１の鍔部端面と押さえ環６によって光軸方向の移動は制限され、回動のみ可能としており、外周に視度環連動用ビス１２が植設されている。カム環５の外周には、視度環７が嵌合しており、内径に形成された直進溝７ｂが前記視度環連動用ビス１２に嵌合して、カム環5と一体になって光軸回りに回動すると共に、光軸方向に摺動可能となっている。さらにカム環５には、図２に示すように、光軸回りにスパイラル状のカム溝５ａが形成されている。このカム溝５ａと重複しない位置に板バネ装着用溝５ｂが形成されている。板バネ装着用溝５ｂにはＶ字型の板バネ１３が挿入され、Ｖ字の一方の一片側が固定されている。Ｖ字型の板バネ１３の他方の一片側の端部には、光軸と離間する方向に膨らんでいるクリック部１３ａが形成されている。
【００１５】
視度環７は、外周端部に係止歯７ａが形成されており、後述する任意の視度位置の設定に機能する。
接眼枠１の内周に嵌合する接眼レンズ枠１０には、カムビス１１が植設されており、接眼枠１の長孔１ｂを貫通し、カム溝５ａに嵌合している。接眼枠１の鍔部外周面には、クリック環４が回動可能に嵌合している。クリック環４は、鏡体２と接眼枠１に挟持され光軸方向の移動は制限されており、その内周面には光軸方向に唯一本のみのＶ溝４ｂが形成されている。このＶ溝４ｂには図３に示す如く、圧縮バネ８の押圧力を受けた剛球９が嵌入し、クリック機構を構成している。さらに、クリック環４は、内周面に係止歯４ａが形成されており、任意の視度位置設定時に、前記視度環７の光軸方向の移動により係止場７ａに噛合する。噛合状態は図６に示す通りである。
【００１６】
視度環７の内周側には、図４及び図５に示すように、視度環７の係止歯７ａがクリック環４の係止歯４ａに噛合して、視度環７が任意の視度位置でクリックが決定できるように、板バネ１３のクリック部１３ａが嵌入する任意視度クリック固定時用溝７ｄと、視度環７の係止歯７ａがクリック環４の係止歯４ａに噛合せず視度環７が任意クリック位置解除に成るように、板バネ１３のクリック部１３ａが嵌入する任意視度クリック解除時用溝７ｃとが形成されている。この板バネ１３、クリック部１３ａ、任意視度クリック固定時用溝７ｄ、及び任意視度クリック解除時用溝７ｃによって位置決め機構が構成される。
【００１７】
次に、本実施形態の視度補正機構の動作について説明する。
まず、クリック環４と視度環７を図１に示す如く、光軸方向での位置関係を設定する。この位置関係は、視度環７の係止歯７ａがクリック環４の係止歯４ａとが離間して噛合していない状態、即ち、任意視度クリック解除時状態であり、図４に示すように、視度環７の任意視度クリック解除時用溝７ｃに板バネ１３のクリック部１３ａが嵌入することで、光軸方向の移動が制限されて決定される。この制限された位置にて、クリック環４を回動させて図３に示すように、Ｖ溝４ｂに圧縮バネ８に付勢された剛球９を嵌入させる。
【００１８】
この状態で、視度環７を光軸回りに回動させる。視度環７が回動すると、視度環７の直進溝７ｂに嵌入している視度環連動用ビス１２に回動力が伝達される。視度環連動用ビス１２は、カム環５に植設されているので、伝達された回動力によってカム環５が光軸回りに回動する。この回動によって、カム環５に形成されたスパイラル状のカム溝５ａに嵌入しているカムビス１１は、光軸回りにスパイラル状に移動しようとするが、接眼枠１に形成された光軸方向に平行な長孔１ｂに嵌合しているため、回転方向の移動は制限され光軸方向に移動する。このカムビス１１の移動に伴い、カムビス１１が植設されている接眼レンズ枠１０も光軸方向に移動する。従って、接眼レンズ群１９が光軸方向に移動する。
【００１９】
このようにして、観察者が視度環７を任意視度クリック解除状態で光軸回りに回動させることによって、視度補正が行われる。
次に、視度環７を光軸方向（クリック環４側）に移動させる。視度環７を移動させる際には、視度環７の任意視度クリック解除時用溝７ｃに板バネ１３のクリック部１３ａが嵌入しているため、この板バネ１３の付勢力に抗する力で、視度環７を移動させればよい。視度環７の光軸方向の移動により、図５、及び図６に示すように、任意視度クリック固定状態となる。この固定状態は、クリック環４の係止歯４ａに視度環７の係止歯７ａが噛合すると共に、板バネ１３のクリック部１３ａが視度環７の任意視度クリック固定時用溝７ｄに嵌入することで維持される。この時、板バネ１３の付勢力に抗する光軸方向の力が視度環７に働かない限り、視度環７は光軸方向の移動を制限され、その結果、観察者の最適視度位置が設定される。
【００２０】
観察者の最適視度位置が設定された状態では、視度環７とクリック環４は、係止歯７ａ，４ａ同志が噛合して一体化しており、また、クリック環４は、Ｖ溝４ｂ、圧縮バネ８、剛球９によってクリックされている。従って、他人が使用して視度環７が回動され、観察者が設定した最適視度位置がずらされたとしても、最適視度クリック位置の再現は容易に可能である。即ち、観察者が視度補正のために、再び双眼鏡を覗きながら操作をする必要が無く、視度環７の回動時クリック感触（一カ所）のみで、最適視度位置を再現することができる。
【００２１】
【発明の効果】
以上説明したように、本発明によれば、視度環を光軸回りに回動させることにより接眼レンズ群を保持する接眼レンズ枠を光軸方法に移動させる双眼鏡の視度補正機構において、視度環に形成された第１係止部と、接眼レンズ枠を摺動可能に内径部に配置し、外径部に回動可能に嵌合するカム環を介して視度環を支承する接眼枠と、接眼枠に回動可能に嵌合すると共に、第１係止部に挿脱する第２係止部が形成されたクリック環と、接眼枠とクリック環との嵌合部に設けられたクリック機構と、第１係止部と第２係止部が係合する第１位置と係合を解除する第２位置に位置決めする位置決め機構と、を有する視度補正機構としたので、観察者の最適視度クリック位置を任意に設定できるという効果を奏する。
【００２２】
また、クリック機構は、クリック環の回動許容範囲で一カ所のみのクリック位置を有する如くなしたので、視度補正を行った後に最適視度クリック位置が変更されても、クリックの感触のみで容易に最適視度の再現が可能となるという効果もある。
さらに、位置決め機構は、視度環及びカム環の何れか一方に形成された第１位置と、第２位置に位置決めするための溝が形成され、他方に前記溝に嵌入する弾性部材が固設されているので、速やかな視度補正操作と設定した最適視度クリック位置を確実に保持できるという効果も奏するものである。
【図面の簡単な説明】
【図１】本発明の双眼鏡の視度補正機構の縦断面図である。
【図２】図１におけるＡ−Ａ’矢視断面図である。
【図３】図１におけるＢ−Ｂ’矢視断面図である。
【図４】本発明の視度補正機構の位置決め機構を含み、係止が解除された状態を示す縦断面図である。
【図５】本発明の視度補正機構の位置決め機構を含み、係止状態を示す縦断面図である。
【図６】図５におけるＤ−Ｄ’矢視断面図である。
【図７】本発明の双眼鏡の上面図である。
【図８】従来技術における双眼鏡の視度補正機構の縦断面図である。
【図９】図８におけるＥーＥ’矢視断面図である。
【符号の説明】
１    接眼枠
１ａ  付勢部材挿入孔
１ｂ  長孔
２    鏡体
３    ビス
４    クリック環
４ａ  係止歯
４ｂ  Ｖ溝
５    カム環
５ａ  カム溝
５ｂ  板バネ装着用溝
６    押さえ環
７    視度環
７ａ  係止歯
７ｂ  直進溝
７ｃ  任意視度クリック解除時用溝
７ｄ  任意視度クリック固定時用溝
８    圧縮バネ
９    剛球
１０    接眼レンズ枠
１１    カムビス
１２    視度環連動用ビス
１３    板バネ
１３ａ  クリック部
【図１】
0004304753.tif 000002
【図２】
0004304753.tif 000003
【図３】
0004304753.tif 000004
【図４】
0004304753.tif 000005
【図５】
0004304753.tif 000006
【図６】
0004304753.tif 000007
【図７】
0004304753.tif 000008
【図８】
0004304753.tif 000009
【図９】
0004304753.tif 000010